【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
データベースに登録されたコンテンツの提供のためのデータの送信を行う送信装置において、
前記データベースに登録されたコンテンツが更新された場合に、その更新を行うための更新データであって、その更新データによって更新される前記コンテンツを識別するための識別情報が付加されたものを生成する更新データ生成手段と、
前記更新データを取得するための取得データであって、その取得データに基づいて取得される前記更新データによって更新される前記コンテンツの前記識別情報が付加されたものを生成する取得データ生成手段と、
前記更新データおよび取得データを第１の伝送路を介して送信するための資源の割当を行う割当手段と、
前記割当手段による資源の割当にしたがって、前記更新データおよび取得データを、前記第１の伝送路を介して送信する第１の送信手段と
を備えることを特徴とする送信装置。
【請求項２】
前記第１の送信手段が、前記更新データを、一斉同報が可能な一方向の同報ネットワークを介して送信する場合において、
前記取得データ生成手段は、前記割当手段による資源の割当に基づいて、前記同報ネットワークを介して送信される前記更新データを受信するのに必要な受信必要情報を、その更新データに付加された前記識別情報と同一のものが付加される前記取得データに含める
ことを特徴とする請求項１に記載の送信装置。
【請求項３】
前記更新データを第２の伝送路を介して送信する第２の送信手段
をさらに備え、
前記第２の送信手段が、双方向の通信が可能な双方向ネットワークを介して送信されてくる前記更新データの要求に対応して、その更新データを、前記双方向ネットワークを介して送信する場合において、
前記取得データ生成手段は、前記双方向ネットワークを介して前記更新データを要求するのに必要な要求必要情報を、その更新データに付加された前記識別情報と同一のものが付加される前記取得データに含める
ことを特徴とする請求項１に記載の送信装置。
【請求項４】
前記第１の送信手段が、一斉同報が可能な一方向の同報ネットワークを介しての前記更新データの送信を行う場合において、
前記取得データ生成手段は、前記要求必要情報の他に、前記割当手段による資源の割当に基づいて、前記同報ネットワークを介して送信される前記更新データを受信するのに必要な受信必要情報も、その更新データに付加された前記識別情報と同一のものが付加される前記取得データに含める
ことを特徴とする請求項３に記載の送信装置。
【請求項５】
前記更新データを受信して記憶し、双方向の通信が可能な双方向ネットワークを介して送信されてくる前記更新データの要求に対応して、その更新データを、前記双方向ネットワークを介して送信する情報処理装置が存在する場合において、
前記取得データ生成手段は、前記双方向ネットワークを介して、前記情報処理装置に対して、前記更新データを要求するのに必要な要求必要情報を、その更新データに付加された前記識別情報と同一のものが付加される前記取得データに含める
ことを特徴とする請求項１に記載の送信装置。
【請求項６】
１以上の前記情報処理装置が存在する場合において、
双方向の通信が可能な双方向ネットワークを介して送信されてくる前記更新データの要求に対応して、その更新データを、前記双方向ネットワークを介して送信する第２の送信手段をさらに備え、
前記取得データ生成手段は、前記１以上の情報処理装置または前記第２の送信手段に対して、前記双方向ネットワークを介して前記更新データを要求するのに必要な要求必要情報を、その更新データに付加された前記識別情報と同一のものが付加される前記取得データに含める
ことを特徴とする請求項５に記載の送信装置。
【請求項７】
前記取得データを受信し、その取得データに基づき、前記１以上の情報処理装置もしくは前記第２の送信手段に対して、前記更新データを要求する複数の受信装置が存在する場合において、
前記取得データ生成手段は、前記複数の受信装置それぞれが、前記更新データを、前記１以上の情報処理装置もしくは前記第２の送信手段のうちのいずれに要求すべきかに関する要求先情報、または前記更新データをいつ要求すべきかに関する要求タイミング情報も、前記取得データに含める
ことを特徴とする請求項６に記載の送信装置。
【請求項８】
前記情報処理装置が存在し、かつ、前記第１の送信手段が、一斉同報が可能な一方向の同報ネットワークを介して、前記更新データの送信を行う場合において、
前記取得データ生成手段は、前記要求必要情報の他に、前記割当手段による資源の割当に基づいて、前記同報ネットワークを介して送信される前記更新データを受信するのに必要な受信必要情報も、その更新データに付加された前記識別情報と同一のものが付加される前記取得データに含める
ことを特徴とする請求項５に記載の送信装置。
【請求項９】
前記更新データには、更新後のコンテンツ、または更新前のコンテンツに、更新後のコンテンツへの変更内容を反映させるための情報が含まれる
ことを特徴とする請求項１に記載の送信装置。
【請求項１０】
データベースに登録されたコンテンツの提供のためのデータの送信方法において、
前記データベースに登録されたコンテンツが更新された場合に、その更新を行うための更新データであって、その更新データによって更新される前記コンテンツを識別するための識別情報が付加されたものを生成するとともに、前記更新データを取得するための取得データであって、その取得データに基づいて取得される前記更新データによって更新される前記コンテンツの前記識別情報が付加されたものを生成し、
前記更新データおよび取得データを所定の伝送路を介して送信するための資源の割当を行い、
前記資源の割当にしたがって、前記更新データおよび取得データを、前記所定の伝送路を介して送信する
ことを特徴とする送信方法。
【請求項１１】
データベースに登録されたコンテンツの提供を受けるためのデータの受信を行う受信装置において、
前記データベースに登録されたコンテンツが更新された場合に、その更新を行うための更新データを取得するための取得データであって、その更新データを所定の伝送路を介して送信するための資源の割当に基づいて生成された前記更新データを受信するのに必要な受信必要情報を含み、前記更新データによって更新される前記コンテンツを識別するための識別情報が付加されたものを受信する受信手段と、
前記取得データに基づいて、それに付加されている前記識別情報と同一のものが付加されている前記更新データを取得する取得手段と、
前記更新データによって、それに付加されている前記識別情報に対応する前記コンテンツを更新する更新手段と
を備えることを特徴とする受信装置。
【請求項１２】
前記更新データが、一斉同報が可能な一方向の同報ネットワークを介して送信され、かつ、前記取得データが、前記更新データを前記同報ネットワークを介して送信するための資源の割当に基づいて生成された前記受信必要情報を含む場合において、
前記取得手段は、前記受信必要情報に基づいて、前記同報ネットワークを介して送信されてくる前記更新データを取得する
ことを特徴とする請求項１１に記載の受信装置。
【請求項１３】
前記取得手段は、
前記同報ネットワークを介して送信されてくる前記更新データを受信する受信手段を有し、
前記受信必要情報に、前記更新データが送信されてくる送信時刻が含まれる場合において、前記受信手段が、その送信時刻に、動作可能な状態にないとき、前記受信手段を、動作可能な状態にする
ことを特徴とする請求項１２に記載の受信装置。
【請求項１４】
前記更新データが、その更新データの要求に対応して、双方向の通信が可能な双方向ネットワークを介して送信され、かつ、前記取得データが、前記双方向ネットワークを介して、前記更新データを要求するのに必要な要求必要情報をも含む場合において、
前記取得手段は、前記要求必要情報に基づき、前記双方向ネットワークを介して、前記更新データを要求し、その要求に対応して、前記双方向ネットワークを介して送信されてくる前記更新データを取得する
ことを特徴とする請求項１１に記載の受信装置。
【請求項１５】
前記取得手段からの前記更新データの要求に対応して、その更新データを送信する１以上の情報処理装置が存在する場合において、
前記取得データは、前記更新データを、前記１以上の情報処理装置のうちのいずれに要求すべきかに関する要求先情報、または前記要求データをいつ要求すべきかに関する要求タイミング情報も含んでおり、
前記取得手段は、前記１以上の情報処理装置のうちの、前記要求先情報に対応するものに対して、または前記要求タイミング情報に対応するタイミングで、前記更新データを要求する
ことを特徴とする請求項１４に記載の受信装置。
【請求項１６】
前記取得手段は、前記取得データおよび更新データを送信する送信装置、または前記送信装置から送信されてくる前記更新データを受信して記憶する情報処理装置に対して、前記双方向ネットワークを介して、前記更新データを要求する
ことを特徴とする請求項１４に記載の受信装置。
【請求項１７】
前記更新データが、一斉同報が可能な一方向の同報ネットワークを介して送信されるとともに、前記更新データの要求に対応して、双方向の通信が可能な双方向ネットワークを介して送信され、かつ、前記取得データが、前記更新データを前記同報ネットワークを介して送信するための資源の割当に基づいて生成された前記受信必要情報を含むとともに、前記双方向ネットワークを介して、前記更新データを要求するのに必要な要求必要情報を含む場合において、
前記取得手段は、前記受信必要情報に基づいて、前記同報ネットワークを介して送信されてくる前記更新データを取得するか、または前記要求必要情報に基づいて、前記双方向ネットワークを介して、前記更新データを要求し、その要求に対応して、前記双方向ネットワークを介して送信されてくる前記更新データを取得する
ことを特徴とする請求項１１に記載の受信装置。
【請求項１８】
前記取得手段は、前記同報ネットワークまたは双方向ネットワークのうちのいずれを介して送信されてくる前記更新データを取得するかを、前記更新データのサイズ、または前記更新データが前記双方向ネットワークを介して送信される頻度に基づいて選択する
ことを特徴とする請求項１７に記載の受信装置。
【請求項１９】
所定の入力を与えるときに操作される操作手段をさらに備え、
前記取得手段は、前記同報ネットワークまたは双方向ネットワークのうちのいずれを介して送信されてくる前記更新データを取得するかを、前記操作手段の操作に基づいて選択する
ことを特徴とする請求項１７に記載の受信装置。
【請求項２０】
前記更新データには、更新後のコンテンツ、または更新前のコンテンツに、更新後のコンテンツへの変更内容を反映させるための情報が含まれる
ことを特徴とする請求項１１に記載の受信装置。
【請求項２１】
前記更新データに、更新後のコンテンツへの変更内容を、更新前のコンテンツに反映させるための情報が含まれる場合において、
前記更新手段は、前記更新データに含まれる前記情報に基づいて、更新前のコンテンツに、更新後のコンテンツへの変更内容を反映させる
ことを特徴とする請求項２０に記載の受信装置。
【請求項２２】
データベースに登録されたコンテンツの提供を受けるためのデータの受信方法において、
前記データベースに登録されたコンテンツが更新された場合に、その更新を行うための更新データを取得するための取得データであって、その更新データを所定の伝送路を介して送信するための資源の割当に基づいて生成された前記更新データを受信するのに必要な受信必要情報を含み、前記更新データによって更新される前記コンテンツを識別するための識別情報が付加されたものを受信し、
前記取得データに基づいて、それに付加されている前記識別情報と同一のものが付加されている前記更新データを取得し、
前記更新データによって、それに付加されている前記識別情報に対応する前記コンテンツを更新する
ことを特徴とする受信方法。
【請求項２３】
データベースに登録されたコンテンツの提供のためのデータの送信を行う送信装置と、
前記送信装置からのデータを受信する受信装置と
を備える送受信システムにおいて、
前記送信装置は、
前記データベースに登録されたコンテンツが更新された場合に、その更新を行うための更新データであって、その更新データによって更新される前記コンテンツを識別するための識別情報が付加されたものを生成する更新データ生成手段と、
前記更新データを取得するための取得データであって、その取得データに基づいて取得される前記更新データによって更新される前記コンテンツの前記識別情報が付加されたものを生成する取得データ生成手段と、
前記更新データおよび取得データを所定の伝送路を介して送信するための資源の割当を行う割当手段と、
前記割当手段による資源の割当にしたがって、前記更新データおよび取得データを、前記所定の伝送路を介して送信する送信手段と
を有し、
前記受信装置は、
前記取得データを受信する受信手段と、
前記取得データに基づいて、それに付加されている前記識別情報と同一のものが付加されている前記更新データを取得する取得手段と、
前記更新データによって、それに付加されている前記識別情報に対応する前記コンテンツを更新する更新手段と
を有する
ことを特徴とする送受信システム。
【請求項２４】
データベースに登録されたコンテンツの提供のためのデータの送信を行う送信装置と、
前記送信装置からのデータを受信する受信装置と
を備える送受信システムの送受信方法において、
前記送信装置において、
前記データベースに登録されたコンテンツが更新された場合に、その更新を行うための更新データであって、その更新データによって更新される前記コンテンツを識別するための識別情報が付加されたものを生成するとともに、前記更新データを取得するための取得データであって、その取得データに基づいて取得される前記更新データによって更新される前記コンテンツの前記識別情報が付加されたものを生成し、
前記更新データおよび取得データを所定の伝送路を介して送信するための資源の割当を行い、
前記資源の割当にしたがって、前記更新データおよび取得データを、前記所定の伝送路を介して送信し、
前記受信装置において、
前記取得データを受信し、
前記取得データに基づいて、それに付加されている前記識別情報と同一のものが付加されている前記更新データを取得し、
前記更新データによって、それに付加されている前記識別情報に対応する前記コンテンツを更新する
ことを特徴とする送受信方法。
【手続補正２】
【補正対象書類名】明細書
【補正対象項目名】０００７
【補正方法】変更
【補正の内容】
【０００７】
【課題を解決するための手段】
本発明の送信装置は、データベースに登録されたコンテンツが更新された場合に、その更新を行うための更新データであって、その更新データによって更新されるコンテンツを識別するための識別情報が付加されたものを生成する更新データ生成手段と、更新データを取得するための取得データであって、その取得データに基づいて取得される更新データによって更新されるコンテンツの識別情報が付加されたものを生成する取得データ生成手段と、更新データおよび取得データを第１の伝送路を介して送信するための資源の割当を行う割当手段と、割当手段による資源の割当にしたがって、更新データおよび取得データを、第１の伝送路を介して送信する第１の送信手段とを備えることを特徴とする。
第１の送信手段が、更新データを、一斉同報が可能な一方向の同報ネットワークを介して送信する場合において、取得データ生成手段は、割当手段による資源の割当に基づいて、同報ネットワークを介して送信される更新データを受信するのに必要な受信必要情報を、その更新データに付加された識別情報と同一のものが付加される取得データに含めることができる。
送信装置には、更新データを第２の伝送路を介して送信する第２の送信手段をさらに設け、第２の送信手段が、双方向の通信が可能な双方向ネットワークを介して送信されてくる更新データの要求に対応して、その更新データを、双方向ネットワークを介して送信する場合において、取得データ生成手段は、双方向ネットワークを介して更新データを要求するのに必要な要求必要情報を、その更新データに付加された識別情報と同一のものが付加される取得データに含めることができる。
第１の送信手段が、一斉同報が可能な一方向の同報ネットワークを介しての更新データの送信を行う場合において、取得データ生成手段は、要求必要情報の他に、割当手段による資源の割当に基づいて、同報ネットワークを介して送信される更新データを受信するのに必要な受信必要情報も、その更新データに付加された識別情報と同一のものが付加される取得データに含めることができる。
更新データを受信して記憶し、双方向の通信が可能な双方向ネットワークを介して送信されてくる更新データの要求に対応して、その更新データを、双方向ネットワークを介して送信する情報処理装置が存在する場合において、取得データ生成手段は、双方向ネットワークを介して、情報処理装置に対して、更新データを要求するのに必要な要求必要情報を、その更新データに付加された識別情報と同一のものが付加される取得データに含めることができる。
送信装置には、１以上の情報処理装置が存在する場合において、双方向の通信が可能な双方向ネットワークを介して送信されてくる更新データの要求に対応して、その更新データを、双方向ネットワークを介して送信する第２の送信手段をさらに設け、取得データ生成手段は、１以上の情報処理装置または第２の送信手段に対して、双方向ネットワークを介して更新データを要求するのに必要な要求必要情報を、その更新データに付加された識別情報と同一のものが付加される取得データに含めることができる。
取得データを受信し、その取得データに基づき、１以上の情報処理装置もしくは第２の送信手段に対して、更新データを要求する複数の受信装置が存在する場合において、取得データ生成手段は、複数の受信装置それぞれが、更新データを、１以上の情報処理装置もしくは第２の送信手段のうちのいずれに要求すべきかに関する要求先情報、または更新データをいつ要求すべきかに関する要求タイミング情報も、取得データに含めることができる。
情報処理装置が存在し、かつ、第１の送信手段が、一斉同報が可能な一方向の同報ネットワークを介して、更新データの送信を行う場合において、取得データ生成手段は、要求必要情報の他に、割当手段による資源の割当に基づいて、同報ネットワークを介して送信される更新データを受信するのに必要な受信必要情報も、その更新データに付加された識別情報と同一のものが付加される取得データに含めることができる。
更新データには、更新後のコンテンツ、または更新前のコンテンツに、更新後のコンテンツへの変更内容を反映させるための情報が含まれるようにすることができる。
本発明の送信方法は、データベースに登録されたコンテンツが更新された場合に、その更新を行うための更新データであって、その更新データによって更新されるコンテンツを識別するための識別情報が付加されたものを生成するとともに、更新データを取得するための取得データであって、その取得データに基づいて取得される更新データによって更新されるコンテンツの識別情報が付加されたものを生成し、更新データおよび取得データを所定の伝送路を介して送信するための資源の割当を行い、資源の割当にしたがって、更新データおよび取得データを、所定の伝送路を介して送信することを特徴とする。
本発明の受信装置は、データベースに登録されたコンテンツが更新された場合に、その更新を行うための更新データを取得するための取得データであって、その更新データを所定の伝送路を介して送信するための資源の割当に基づいて生成された更新データを受信するのに必要な受信必要情報を含み、更新データによって更新されるコンテンツを識別するための識別情報が付加されたものを受信する受信手段と、取得データに基づいて、それに付加されている識別情報と同一のものが付加されている更新データを取得する取得手段と、更新データによって、それに付加されている識別情報に対応するコンテンツを更新する更新手段とを備えることを特徴とする。
更新データが、一斉同報が可能な一方向の同報ネットワークを介して送信され、かつ、取得データが、更新データを同報ネットワークを介して送信するための資源の割当に基づいて生成された受信必要情報を含む場合、取得手段は、受信必要情報に基づいて、同報ネットワークを介して送信されてくる更新データを取得することができる。
取得手段は、同報ネットワークを介して送信されてくる更新データを受信する受信手段を有し、受信必要情報に、更新データが送信されてくる送信時刻が含まれる場合において、受信手段が、その送信時刻に、動作可能な状態にないとき、受信手段を、動作可能な状態にすることができる。
更新データが、その更新データの要求に対応して、双方向の通信が可能な双方向ネットワークを介して送信され、かつ、取得データが、双方向ネットワークを介して、更新データを要求するのに必要な要求必要情報をも含む場合において、取得手段は、要求必要情報に基づき、双方向ネットワークを介して、更新データを要求し、その要求に対応して、双方向ネットワークを介して送信されてくる更新データを取得することができる。
取得手段からの更新データの要求に対応して、その更新データを送信する１以上の情報処理装置が存在する場合において、取得データは、更新データを、１以上の情報処理装置のうちのいずれに要求すべきかに関する要求先情報、または要求データをいつ要求すべきかに関する要求タイミング情報も含んでおり、取得手段は、１以上の情報処理装置のうちの、要求先情報に対応するものに対して、または要求タイミング情報に対応するタイミングで、更新データを要求することができる。
取得手段は、取得データおよび更新データを送信する送信装置、または送信装置から送信されてくる更新データを受信して記憶する情報処理装置に対して、双方向ネットワークを介して、更新データを要求することができる。
更新データが、一斉同報が可能な一方向の同報ネットワークを介して送信されるとともに、更新データの要求に対応して、双方向の通信が可能な双方向ネットワークを介して送信され、かつ、取得データが、更新データを同報ネットワークを介して送信するための資源の割当に基づいて生成された受信必要情報を含むとともに、双方向ネットワークを介して、更新データを要求するのに必要な要求必要情報を含む場合において、取得手段は、受信必要情報に基づいて、同報ネットワークを介して送信されてくる更新データを取得するか、または要求必要情報に基づいて、双方向ネットワークを介して、更新データを要求し、その要求に対応して、双方向ネットワークを介して送信されてくる更新データを取得することができる。
取得手段は、同報ネットワークまたは双方向ネットワークのうちのいずれを介して送信されてくる更新データを取得するかを、更新データのサイズ、または更新データが双方向ネットワークを介して送信される頻度に基づいて選択することができる。
受信装置は、所定の入力を与えるときに操作される操作手段をさらに設け、取得手段は、同報ネットワークまたは双方向ネットワークのうちのいずれを介して送信されてくる更新データを取得するかを、操作手段の操作に基づいて選択することができる。
更新データには、更新後のコンテンツ、または更新前のコンテンツに、更新後のコンテンツへの変更内容を反映させるための情報が含まれることができる。
更新データに、更新後のコンテンツへの変更内容を、更新前のコンテンツに反映させるための情報が含まれる場合において、更新手段は、更新データに含まれる情報に基づいて、更新前のコンテンツに、更新後のコンテンツへの変更内容を反映させることを特徴とする。
データベースに登録されたコンテンツの提供を受けるためのデータの受信方法において、データベースに登録されたコンテンツが更新された場合に、その更新を行うための更新データを取得するための取得データであって、その更新データを所定の伝送路を介して送信するための資源の割当に基づいて生成された更新データを受信するのに必要な受信必要情報を含み、更新データによって更新されるコンテンツを識別するための識別情報が付加されたものを受信し、取得データに基づいて、それに付加されている識別情報と同一のものが付加されている更新データを取得し、更新データによって、それに付加されている識別情報に対応するコンテンツを更新することができる。
本発明の送受信システムにおいて、送信装置は、データベースに登録されたコンテンツが更新された場合に、その更新を行うための更新データであって、その更新データによって更新されるコンテンツを識別するための識別情報が付加されたものを生成する更新データ生成手段と、更新データを取得するための取得データであって、その取得データに基づいて取得される更新データによって更新されるコンテンツの識別情報が付加されたものを生成する取得データ生成手段と、更新データおよび取得データを所定の伝送路を介して送信するための資源の割当を行う割当手段と、割当手段による資源の割当にしたがって、更新データおよび取得データを、所定の伝送路を介して送信する送信手段とを有し、受信装置は、取得データを受信する受信手段と、取得データに基づいて、それに付加されている識別情報と同一のものが付加されている更新データを取得する取得手段と、更新データによって、それに付加されている識別情報に対応するコンテンツを更新する更新手段とを有することを特徴とする。
本発明の送受信方法は、送信装置において、データベースに登録されたコンテンツが更新された場合に、その更新を行うための更新データであって、その更新データによって更新されるコンテンツを識別するための識別情報が付加されたものを生成するとともに、更新データを取得するための取得データであって、その取得データに基づいて取得される更新データによって更新されるコンテンツの識別情報が付加されたものを生成し、更新データおよび取得データを所定の伝送路を介して送信するための資源の割当を行い、資源の割当にしたがって、更新データおよび取得データを、所定の伝送路を介して送信し、受信装置において、取得データを受信し、取得データに基づいて、それに付加されている識別情報と同一のものが付加されている更新データを取得し、更新データによって、それに付加されている識別情報に対応するコンテンツを更新することを特徴とする。
【手続補正３】
【補正対象書類名】明細書
【補正対象項目名】０００８
【補正方法】変更
【補正の内容】
【０００８】
本発明の送信装置および送信方法においては、データベースに登録されたコンテンツが更新された場合に、その更新を行うための更新データであって、その更新データによって更新されるコンテンツを識別するための識別情報が付加されたものが生成され、更新データを取得するための取得データであって、その取得データに基づいて取得される更新データによって更新されるコンテンツの識別情報が付加されたものが生成される。そして、更新データおよび取得データを所定の伝送路を介して送信するための資源の割当が行われ、その資源の割当にしたがって、更新データおよび取得データが、所定の伝送路を介して送信される。
本発明の受信装置および受信方法においては、データベースに登録されたコンテンツが更新された場合に、その更新を行うための更新データを取得するための取得データであって、その更新データを所定の伝送路を介して送信するための資源の割当に基づいて生成された更新データを受信するのに必要な受信必要情報を含み、更新データによって更新されるコンテンツを識別するための識別情報が付加されたものが受信され、取得データに基づいて、それに付加されている識別情報と同一のものが付加されている更新データが取得され、更新データによって、それに付加されている識別情報に対応するコンテンツが更新される。
本発明の送受信システムおよび送受信方法は、データベースに登録されたコンテンツが更新された場合に、その更新を行うための更新データであって、その更新データによって更新されるコンテンツを識別するための識別情報が付加されたものが生成されるとともに、更新データを取得するための取得データであって、その取得データに基づいて取得される更新データによって更新されるコンテンツの識別情報が付加されたものが生成される。そして、更新データおよび取得データを所定の伝送路を介して送信するための資源の割当が行われ、その資源の割当にしたがって、更新データおよび取得データが、所定の伝送路を介して送信される。また、取得データが受信され、その取得データに基づいて、それに付加されている識別情報と同一のものが付加されている更新データが取得され、その更新データによって、それに付加されている識別情報に対応するコンテンツが更新される。